(57)【要約】      （修正有）【課題】都市電気が切られたときに、発光源の光度がゆっくり減少され、照明可能時間を延長することができる照明装置を提供する。【解決手段】ランプの内部には、電子回路を構成する、充電制御ユニットと、内蔵蓄電ユニットと、光度減衰速度制御ユニットと、切替制御ユニットと、発光源と、が設けられ、都市電気からの電源が切られていないときには、前記切替制御ユニットが都市電気モードに切り替えられ、前記発光源が直接に駆動され安定に発光するようになり、そして前記充電制御ユニットにより前記内蔵蓄電ユニットが充電され、都市電気からの電源が切られたときには、前記切替制御ユニットが前記内蔵蓄電ユニットを電源とするモードに切り替えられ、前記光度減衰速度制御ユニットにより前記発光源の光度が完全に暗くなるまでゆっくり減少される。【選択図】図１
0003151953.tif 000002
【実用新案登録請求の範囲】
【請求項１】
ランプの内部には、電子回路を構成する、充電制御ユニットと、内蔵蓄電ユニットと、光度減衰速度制御ユニットと、切替制御ユニットと、発光源と、が設けられ、
都市電気からの電源が切られていないときには、前記切替制御ユニットが都市電気モードに切り替えられ、前記発光源が直接に駆動され安定に発光するようになり、前記充電制御ユニットにより前記内蔵蓄電ユニットが充電され、
都市電気からの電源が切られたときには、前記切替制御ユニットが前記内蔵蓄電ユニットを電源とするモードに切り替えられ、前記光度減衰速度制御ユニットから光度をゆっくり減少するように調整する信号が発生され、前記光度減衰速度制御ユニットにより前記発光源の光度が完全に暗くなるまでゆっくり減少されることを特徴とする、
照明装置。
【請求項２】
前記ランプは、プレート式発光体、蛍光灯又は電球であることを特徴とする、請求項１に記載の照明装置。
【請求項３】
前記内蔵蓄電ユニットは、充電可能なバッテリー又は大容量コンデンサーであることを特徴とする、請求項１に記載の照明装置。
【請求項４】
光度を減少する光度減衰速度制御ユニットは、発光源の光度を減少する前に、都市電気が切られた状態をユーザに知らせるために、発光源を少なくとも一回点滅又は発光源の本来の光度を減衰することを特徴とする、請求項１に記載の照明装置。
【考案の詳細な説明】
【技術分野】
【０００１】
本考案は、照明装置に関し、特に、内蔵蓄電ユニットを有し、都市電気からの電源が切られたときには、内蔵蓄電ユニットが電源とされ、光度減衰速度制御ユニットにより発光源の光度を完全に暗くなるまでゆっくり減少する照明装置に関するものである。
【背景技術】
【０００２】
環境が暗くなった場合には、ランプにより環境が再び明るくなり、各種の活動を行うことができる。しかし、電力設備を修理しており、又は電力設備が破壊された場合には、電力が切られ、ランプにより環境を明るくすることができず、暗い環境において、人間は不安感が強い傾向がある。
【０００３】
上記の問題を解決するために、緊急照明装置が提案され、緊急照明装置によれば、都市電気が切られたときに、その内蔵の充電装置が電源とされる。しかし、このような緊急照明装置は、室内の照明装置と整合されず、緊急照明装置を別に購入することが必要であり、且つ室内に緊急照明装置を増設する場合には、室内の見栄えが悪くなる問題があった。
【０００４】
また、米国特許US2009039788（A1）号の「給電部材付き照明ユニット」が提案され、このような給電部材付き照明ユニットによれば、都市電気が切られたときに、内蔵の電力が発光ユニットに供給され、前記照明ユニットは発光装置を有し、前記発光装置は、外部からの電源を受ける電源入力端と、前記電源入力端と電気的に連結している固体状態の発光子と、前記発光子と電気的に連結している予備電源と、を含み、前記電源入力端からの電力が切られたときに、前記予備電源が前記発光子に電力を供給する。しかし、このような構成によれば、固体状態の発光子が一定の光度で発光するので、電力の消耗がより多く、前記予備電源の電力が短時間のうちに消耗される問題があった。
【０００５】
また、電源スイッチに遅延回路が設けられる照明装置が提案され、このような照明装置によれば、電源スイッチをオフにした状態では、ランプの消し時間が遅延され、ランプが消灯し環境が暗くなるまでに、若干の緩衝時間がある。しかし、このような照明装置によれば、電源スイッチがオフ状態にされても、照明装置が正常時と同じ光度で照明するので、ランプが消し時間に至ると、環境が瞬間に暗くなり、そうすると、人間の不安感が強い。
【先行技術文献】
【特許文献】
【０００６】
【特許文献１】米国特許US2009039788（A1）号
【考案の概要】
【考案が解決しようとする課題】
【０００７】
本考案の主な目的は、都市電気からの電源が切られていないときには、切替制御ユニットが都市電気モードに切り替えられ、駆動ユニットにより発光源を発光させ、そして充電制御ユニットにより内蔵蓄電ユニットが充電され、なお、都市電気からの電源が切られたときには、切替制御ユニットが内蔵蓄電ユニットを電源とするモードに切り替えられ、このとき、光度減衰速度制御ユニットから光度をゆっくり減少するように調整する信号が発生され、光度減衰速度制御ユニットにより発光源の光度が完全に暗くなるまでゆっくり減少され、照明可視な時間が延びられ、ユーザの目が光度の変化に対応可能であり、室内の電気配線を変更し又は他の部材を追加することが必要ない照明装置を提供することにある。
【０００８】
本考案の次の目的は、都市電気からの電源が切られた場合には、発光源は、少なくとも一回に点滅し、又は本来の光度を減衰することにより、都市電気が切られた状態をユーザに知らせて、光度をゆっくり減少する照明装置を提供することにある。
【課題を解決するための手段】
【０００９】
本考案の請求項１に記載の照明装置によると、ランプの内部には、電子回路を構成する、充電制御ユニットと、内蔵蓄電ユニットと、光度減衰速度制御ユニットと、切替制御ユニットと、発光源と、が設けられ、都市電気からの電源が切られていないときには、前記切替制御ユニットが都市電気モードに切り替えられ、前記発光源が直接に駆動され安定に発光するようになり、そして前記充電制御ユニットにより前記内蔵蓄電ユニットが充電され、なお、都市電気からの電源が切られたときには、前記切替制御ユニットが前記内蔵蓄電ユニットを電源とするモードに切り替えられ、このとき、前記光度減衰速度制御ユニットから光度をゆっくり減少するように調整する信号が発生され、前記光度減衰速度制御ユニットにより前記発光源の光度が完全に暗くなるまでゆっくり減少されることを特徴とする照明装置である。
【００１０】
本考案の請求項２に記載の照明装置によると、前記ランプは、プレート式発光体でもいいし、蛍光灯でもいいし、電球でもよい。
本考案の請求項３に記載の照明装置によると、前記内蔵蓄電ユニットは、充電可能なバッテリーでもいいし、大容量コンデンサーでもよい。
【００１１】
本考案の請求項４に記載の照明装置によると、光度を減少する光度減衰速度制御ユニット４は、発光源１４の光度を減少する前に、発光源１４により都市電気が切られた状態をユーザに知らせ、なお、都市電気が切られた状態をユーザに知らせる方法は、発光源を少なくとも一回に点滅してもいいし、発光源の本来の光度を減衰してもよい。
【考案の効果】
【００１２】
本考案の照明装置によれば、次のような効果がある。
（１）本考案に係る照明装置内には、内蔵蓄電ユニットと光度減衰速度制御ユニットが設けられているので、従来の照明装置の代わりに、本考案に係る照明装置を直接に使用することができ、室内の電気配線を変更し又は他の部材を追加することが必要なく、極めて便利である。
【００１３】
（２）本考案に係る照明装置内には、内蔵蓄電ユニットと光度減衰速度制御ユニットが設けられているので、都市電気が切られたときに、光度減衰速度制御ユニットから光度をゆっくり減少するように調整する信号が発生され、発光源の光度がゆっくり減少され、照明可視な時間が延びられる。
【００１４】
（３）本考案に係る照明装置は発光源の光度がゆっくり減少されるので、ユーザの目が光度の変化に対応する余裕がある。
【００１５】
（４）都市電気からの電源が切られた場合には、発光源の光度がゆっくり減少する前に、発光源が少なくとも一回に点滅し、又は発光源の本来の光度が減衰することにより、都市電気が切られた状態をユーザに知らせた後、発光源の光度がゆっくり減少する。
【図面の簡単な説明】
【００１６】
【図１】本考案に係る照明装置のブロック図である。
【図２】本考案に係る照明装置が電球式ランプに適用される状態の模式図である。
【図３】本考案に係る照明装置が蛍光灯に適用される状態の模式図である。
【図４】本考案に係る照明装置がプレート式ランプに適用され、プレート式ランプの基板が導光板を採用する状態の模式図である。
【図５】本考案に係る照明装置がプレート式ランプに適用され、プレート式ランプの基板がアルミシートを採用する状態の模式図である。
【図６】本考案に係る照明装置が別のプレート式ランプに適用され、プレート式ランプの基板がアルミシートを採用する状態の模式図である。
【考案を実施するための形態】
【００１７】
以下、本考案の実施の形態を図面に基づいて説明する。
本考案に係る照明装置の設計の重点は、都市電気からの電源が切られていないときには、前記切替制御ユニットが都市電気モードに切り替えられ、前記駆動ユニットにより前記発光源を発光させ、そして前記充電制御ユニットにより前記内蔵蓄電ユニットが充電され、なお、都市電気からの電源が切られたときには、前記切替制御ユニットが前記内蔵蓄電ユニットを電源とするモードに切り替えられ、このとき、光度減衰速度制御ユニットから光度をゆっくり減少するように調整する信号が発生され、前記光度減衰速度制御ユニットにより前記発光源の光度が完全に暗くなるまでゆっくり減少されることを可能にする。
【００１８】
まず、図１を参照する。図１は本考案に係る照明装置のブロック図である。本考案に係る照明装置は、ランプ１と、充電制御ユニット２と、内蔵蓄電ユニット３と、光度減衰速度制御ユニット４と、切替制御ユニット６と、を含む。
ランプ１は、基板１１と、電極台１２と、笠１３と、発光源１４と、を少なくとも含む。ランプ１が図１に示すような電球である場合には、そうすると、電極台１２と笠１３の間には基板１１が設けられ、基板１１の上では発光源１４が設けられる。ランプ１が図２に示すような蛍光灯である場合には、二つの電極台１２の間には笠１３が設けられ、笠１３内には基板１１が設けられ、基板１１の上では発光源１４が設けられる。
【００１９】
また、ランプ１が図４、図５及び図６に示すようなプレート式発光体である場合には、ランプ１の基板１１が光線を反射可能の反射シートであり、反射シートの少なくとも一側には発光源１４が設けられ、電極台１２により前記反射シートと発光源１４が固定される。
【００２０】
前記反射シートは、図４に示すような導光板１１ａでもいいし、図５及び図６に示すようなアルミシート１１ｂでもよく、アルミシート１１ｂは、ある円弧度を有し（内側に凹み、又は外側に突出し）、その上では反射シート１１ｂ１が多数設けられ、反射シート１１ｂ１により発光源１４からの光線が予定の箇所に反射される。
【００２１】
また、充電制御ユニット２と内蔵蓄電ユニット３と光度減衰速度制御ユニット４と切替制御ユニット６とは、基板１１に設けられ、発光源１４に合せると、電子回路が構成される。内蔵蓄電ユニット３は、充電可能なバッテリーでもいいし、大容量コンデンサーでもよい。また、本考案に係る照明装置は、更に、基板１１に駆動ユニット５を設けてもよく、そうすると、駆動ユニット５が充電制御ユニット２と内蔵蓄電ユニット３と光度減衰速度制御ユニット４と切替制御ユニット６とランプ１４に合せて電子回路を構成する。
【００２２】
切替制御ユニット６は都市電気７の有無を持続に監視するものであり、都市電気７からの電源が切られていないときには、切替制御ユニット６が都市電気モードに切り替えられて、発光源１４が駆動ユニット５により駆動され、又は発光源１４が直接に駆動され、そうすると、発光源１４が安定に発光するようになり、そして充電制御ユニット２により内蔵蓄電ユニット３が充電され、内蔵蓄電ユニット３が充電飽和状態になると、都市電気７の内蔵蓄電ユニット３に対する充電が停止され、なお、都市電気７からの電源が切られたときには、切替制御ユニット６が内蔵蓄電ユニット３を電源とするモードに切り替えられ、光度減衰速度制御ユニット４により発光源１４の光度が完全に暗くなるまでゆっくり減少される。
【００２３】
また、都市電気が切られた場合には、光度を減少する光度減衰速度制御ユニット４は、発光源１４の光度を減少する前に、発光源１４により都市電気が切られた状態をユーザに知らせて光度をゆっくり減少する。なお、都市電気が切られた状態をユーザに知らせる方法は、発光源を少なくとも一回に点滅し、又は発光源の本来の光度を減衰するによる。
【符号の説明】
【００２４】
１：ランプ
２：充電制御ユニット
３：内蔵蓄電ユニット
４：光度減衰速度制御ユニット
６：切替制御ユニット
７：都市電気
１１：基板
１１ａ：導光板
１１ｂ：アルミシート
１１ｂ１：反射シート
１２：電極台
１３：笠
１４：発光源
【図１】
0003151953.tif 000003
【図２】
0003151953.tif 000004
【図３】
0003151953.tif 000005
【図４】
0003151953.tif 000006
【図５】
0003151953.tif 000007
【図６】
0003151953.tif 000008